(57)【要約】【課題】再生エラーの発生頻度を低減することが可能な、光ディスク装置のイコライザ調整方法および光ディスク装置を提供することを目的とする。【解決手段】光ディスクに所定数の書込開始タイミングで書込んだダミーデータの各々について複数種の再生イコライザ設定値の中の一つを用いて再生し（Ｓ３〜Ｓ６）、再生したダミーデータの各々に含まれるエラーレート値を測定し（Ｓ６〜Ｓ１１）、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値として設定する（Ｓ１２）ことを特徴とする。【選択図】図５
2007207338.tif 000002
【特許請求の範囲】
【請求項１】
光ディスクに所定数の書込開始タイミングで書込んだダミーデータの各々について複数種の再生イコライザ設定値の中の一つを用いて再生し、前記再生したダミーデータの各々に含まれるジッタ値を測定し、前記所定数の書込開始タイミング及び前記用いた一の再生イコライザ設定値に対応する複数のジッタ値からなるジッタ値のグループを前記複数種の再生イコライザ設定値の各々について得て、ジッタ値が最小となるジッタ値のグループを構成する再生イコライザ設定値を前記複数種の再生イコライザ設定値の中から選択し、光ディスクからのデータ再生に用いる再生イコライザ設定値として設定することを特徴とする光ディスク装置のイコライザ調整方法。
【請求項２】
ジッタ値が最小となるジッタ値のグループは、各グループのジッタ値の平均値に基づいて決定することを特徴とする請求項１記載の光ディスク装置のイコライザ調整方法。
【請求項３】
ジッタ値が最小となるジッタ値のグループは、各グループのジッタ値の合計値に基づいて決定することを特徴とする請求項１記載の光ディスク装置のイコライザ調整方法。
【請求項４】
光ディスクに所定数の書込開始タイミングで書込んだダミーデータの各々について複数種の再生イコライザ設定値の中の一つを用いて再生し、前記再生したダミーデータの各々に含まれるエラーレート値を測定し、前記所定数の書込開始タイミング及び前記用いた一の再生イコライザ設定値に対応する複数のエラーレート値からなるエラーレート値のグループを前記複数種の再生イコライザ設定値の各々について得て、エラーレート値が最小となるエラーレート値のグループを構成する再生イコライザ設定値を前記複数種の再生イコライザ設定値の中から選択し、光ディスクからのデータ再生に用いる再生イコライザ設定値として設定することを特徴とする光ディスク装置のイコライザ調整方法。
【請求項５】
エラーレート値が最小となるエラーレート値のグループは、各グループのエラーレート値の平均値に基づいて決定することを特徴とする請求項４記載の光ディスク装置のイコライザ調整方法。
【請求項６】
エラーレート値が最小となるエラーレート値のグループは、各グループのエラーレート値の合計値に基づいて決定することを特徴とする請求項４記載の光ディスク装置のイコライザ調整方法。
【請求項７】
光ディスクに所定数の書込開始タイミングでダミーデータを書込む書込手段と、複数種の再生イコライザ設定値を記憶する記憶手段と、前記所定数の書込開始タイミングで書込んだダミーデータの各々について複数種の再生イコライザ設定値の中の一つを用いて再生するイコライザと、前記再生したダミーデータの各々に含まれるジッタ値を測定し、前記所定数の書込開始タイミング及び前記用いた一の再生イコライザ設定値に対応する複数のジッタ値からなるジッタ値のグループを前記複数種の再生イコライザ設定値の各々について得て、ジッタ値が最小となるジッタ値のグループを構成する再生イコライザ設定値を前記光ディスクからのデータ再生に用いる再生イコライザ設定値として前記イコライザに設定する制御手段とを具備することを特徴とする光ディスク装置。
【請求項８】
光ディスクに所定数の書込開始タイミングでダミーデータを書込む書込手段と、複数種の再生イコライザ設定値を記憶する記憶手段と、前記所定数の書込開始タイミングで書込んだダミーデータの各々について複数種の再生イコライザ設定値の中の一つを用いて再生するイコライザと、前記再生したダミーデータの各々に含まれるエラーレート値を測定し、前記所定数の書込開始タイミング及び前記用いた一の再生イコライザ設定値に対応する複数のエラーレート値からなるエラーレート値のグループを前記複数種の再生イコライザ設定値の各々について得て、エラーレート値が最小となるエラーレート値のグループを構成する再生イコライザ設定値を前記光ディスクからのデータ再生に用いる再生イコライザ設定値として前記イコライザに設定する制御手段とを具備することを特徴とする光ディスク装置。
【発明の詳細な説明】
【技術分野】
【０００１】
本発明は、光ディスクに情報の記録または再生の少なくとも一方を行う光ディスク装置のイコライザ調整方法および光ディスク装置に関するものである。
【背景技術】
【０００２】
光ディスク装置は、各方面への応用と高性能化への開発が活発に行われている。特に最近では、光ディスク装置の高倍速化、軽薄化、軽量化が行われ、光ディスクに対する制御も高度な制御を要求されるようになってきている。
【０００３】
ここで、従来の光ディスク装置の構成と動作について、図を用いて説明する。
【０００４】
図１２は、従来の光ディスク装置のブロック図である。図１２において、１は光ディスク、２はピックアップモジュール、３はスピンドルモータ、４は光ピックアップ、５は反射光受光手段、６はＲＦ信号生成手段、７はイコライザ、８は信号処理部である。
【０００５】
以上のように構成された従来の光ディスク装置の動作について説明する。
【０００６】
ピックアップモジュール２は、光ディスク１を回転させるスピンドルモータ３と、レーザの発光パターンを利用して光ディスク１に情報の記録または再生の少なくとも一方を行う光ピックアップ４と、光ピックアップ４が搭載されたキャリッジを光ディスク１の半径方向に移動させるためのフィード部とによって構成されたものである。
【０００７】
光ピックアップ４の内部には、光ディスク１からの反射光を受光する反射光受光手段５が設けられ、その反射光受光手段５からの信号出力を基にＲＦ信号生成手段６でＲＦ信号が生成され、生成されたＲＦ信号はイコライザ７へ送られる。
【０００８】
イコライザ７は、光ディスク装置を設計する際に設定された固定値で、送られてきたＲＦ信号の周波数特性の調整を行う。その後、周波数特性が調整されたＲＦ信号は、イコライザ７から信号処理部へ送られる。
【０００９】
信号処理部８は、イコライザ７から送られてきたＲＦ信号などのアナログ信号をデジタル信号に変換するＡ／Ｄ変換器、Ａ／Ｄ変換器で変換されたデジタル信号を一時的に記憶するメモリ、メモリに記録されたデジタル信号あるいはＡ／Ｄ変換器から送られてきたデジタル信号を所定の方法で演算する演算回路、演算回路にて演算されたデジタル信号をアナログ信号に変換するＤ／Ａ変換器等によって構成され、パーソナルコンピュータなどのＨＯＳＴと通信を行う。
【００１０】
先行例としては、（特許文献１）等がある。
【特許文献１】特開平９−４４９９７号公報
【発明の開示】
【発明が解決しようとする課題】
【００１１】
しかしながら、上記従来の構成では、記録状態の良い領域や悪い領域が混在する光ディスクを再生する場合、再生イコライザ設定値が最適な設定値からずれることがあり、その際、再生能力が低下して再生できない、もしくは再生のリトライ動作を繰り返すために、再生速度が遅延するなどの問題が生じる。
【００１２】
本発明は、このような従来の課題を解決するものであり、記録状態の良い領域や悪い領域が混在するような光ディスクであっても、再生エラーの発生頻度を低減することが可能な再生イコライザ設定値を設定することができ、再生エラーが発生しにくい光ディスク装置のイコライザ調整方法および光ディスク装置を提供することを目的とする。
【課題を解決するための手段】
【００１３】
本発明は、上記課題を解決するためになされたものであって、光ディスクに所定数の書込開始タイミングで書込んだダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値として設定する光ディスク装置のイコライザ調整方法および光ディスク装置である。
【００１４】
また、本発明は、光ディスクに所定数の書込開始タイミングで書込んだダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値として設定する光ディスク装置のイコライザ調整方法および光ディスク装置である。
【発明の効果】
【００１５】
本発明は上記構成により、光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法および光ディスク装置を実現することができる。
【００１６】
また、本発明は上記構成により、光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法および光ディスク装置を実現することができる。
【発明を実施するための最良の形態】
【００１７】
請求項１記載の発明は、光ディスクに所定数の書込開始タイミングで書込んだダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値として設定する光ディスク装置のイコライザ調整方法である。光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法を実現することができる。
【００１８】
請求項２記載の発明は、ジッタ値が最小となるジッタ値のグループが、各グループのジッタ値の平均値に基づいて決定することを特徴とする請求項１記載の光ディスク装置のイコライザ調整方法である。ジッタ値が最小となるジッタ値のグループが、各グループのジッタ値の平均値に基づいて決定することによって、再生イコライザ設定値を容易に決定することができる。
【００１９】
請求項３記載の発明は、ジッタ値が最小となるジッタ値のグループが、各グループのジッタ値の合計値に基づいて決定することを特徴とする請求項１記載の光ディスク装置のイコライザ調整方法である。ジッタ値が最小となるジッタ値のグループが、各グループのジッタ値の合計値に基づいて決定することによって、再生イコライザ設定値を容易に決定することができる。
【００２０】
請求項４記載の発明は、光ディスクに所定数の書込開始タイミングで書込んだダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値として設定する光ディスク装置のイコライザ調整方法である。光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法を実現することができる。
【００２１】
請求項５記載の発明は、エラーレート値が最小となるエラーレート値のグループが、各グループのエラーレート値の平均値に基づいて決定することを特徴とする請求項４記載の光ディスク装置のイコライザ調整方法である。エラーレート値が最小となるエラーレート値のグループが、各グループのエラーレート値の平均値に基づいて決定することによって、再生イコライザ設定値を容易に決定することができる。
【００２２】
請求項６記載の発明は、エラーレート値が最小となるエラーレート値のグループは、各グループのエラーレート値の合計値に基づいて決定することを特徴とする請求項４記載の光ディスク装置のイコライザ調整方法である。エラーレート値が最小となるエラーレート値のグループが、各グループのエラーレート値の合計値に基づいて決定することによって、再生イコライザ設定値を容易に決定することができる。
【００２３】
請求項７記載の発明は、光ディスクに所定数の書込開始タイミングでダミーデータを書込む書込手段と、複数種の再生イコライザ設定値を記憶する記憶手段と、所定数の書込開始タイミングで書込んだダミーデータの各々について複数種の再生イコライザ設定値の中の一つを用いて再生するイコライザと、再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を光ディスクからのデータ再生に用いる再生イコライザ設定値としてイコライザに設定する制御手段とを具備する光ディスク装置である。制御手段が、光ディスクに所定数の書込開始タイミングで書込んだダミーデータを用いることによって、記録マークを形成するレーザ発光のタイミングをずらし、意図的に記録状態の悪い領域を形成することができる。そして、制御手段が、そのダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置を実現することができる。
【００２４】
請求項８記載の発明は、光ディスクに所定数の書込開始タイミングでダミーデータを書込む書込手段と、複数種の再生イコライザ設定値を記憶する記憶手段と、所定数の書込開始タイミングで書込んだダミーデータの各々について複数種の再生イコライザ設定値の中の一つを用いて再生するイコライザと、再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を光ディスクからのデータ再生に用いる再生イコライザ設定値としてイコライザに設定する制御手段とを具備する光ディスク装置である。制御手段が光ディスクに所定数の書込開始タイミングで書込んだダミーデータを用いることによって、記録マークを形成するレーザ発光のタイミングをずらし、意図的に記録状態の悪い領域を形成することができる。そして、制御手段がそのダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。そのため、記録状態の良い領域や悪い領域が混在するような光ディスクであっても、再生エラーの発生頻度を低減することが可能な再生イコライザ値を設定することができるため、再生エラーが発生しにくい光ディスク装置を実現することができる。
【００２５】
（実施の形態１）
以下、本発明の実施の形態１について、図面を参照しながら説明する。
【００２６】
図１は、本発明の実施の形態１における光ディスク装置のブロック図である。図１において、１は光ディスク、２はピックアップモジュール、３はスピンドルモータ、４は光ピックアップ、５は反射光受光手段、６はＲＦ信号生成手段、７はイコライザ、８は信号処理部、９はエラーレート測定手段、１０はエラーレート比較手段、１１はレーザ発光タイミング制御手段、１２はＣＰＵである。
【００２７】
以上のように構成された本発明の実施の形態１における光ディスク装置の動作について説明する。
【００２８】
ピックアップモジュール２は、光ディスク１を回転させる回転駆動手段であるスピンドルモータ３と、レーザの発光パターンを利用して光ディスク１に情報の記録または再生の少なくとも一方を行う光ピックアップ４と、光ピックアップ４が搭載されたキャリッジを光ディスク１の半径方向に移動させるためのフィード部とによって構成されたものである。
【００２９】
光ピックアップ４の内部には、光ディスク１からの反射光を受光する反射光受光手段５が設けられ、その反射光受光手段５からの信号出力を基にＲＦ信号生成手段６でＲＦ信号が生成され、生成されたＲＦ信号はイコライザ７へ送られる。
【００３０】
イコライザ７は、光ディスク装置を設計する際に設定された固定値で、送られてきたＲＦ信号の周波数特性の調整を行う。ここで、用いられる再生イコライザの最適化処理結果は、エラーレート測定手段９で測定されたエラーレート値をエラーレート比較手段１０で比較することにより求められる。その後、周波数特性が調整されたＲＦ信号は、イコライザ７から信号処理部へ送られる。
【００３１】
信号処理部８は、イコライザ７から送られてきたＲＦ信号などのアナログ信号をデジタル信号に変換するＡ／Ｄ変換器、Ａ／Ｄ変換器で変換されたデジタル信号を一時的に記憶するメモリ、メモリに記録されたデジタル信号あるいはＡ／Ｄ変換器から送られてきたデジタル信号を所定の方法で演算する演算回路、演算回路にて演算されたデジタル信号をアナログ信号に変換するＤ／Ａ変換器等によって構成され、パーソナルコンピュータなどのＨＯＳＴと通信を行う。
【００３２】
レーザ発光タイミング制御手段１１は、光ピックアップ４の発光タイミングを制御して
光ディスク１に情報の記録を行う。
【００３３】
ＣＰＵ１２は、本発明の制御部を構成し、イコライザ７、エラーレート測定手段９、エラーレート比較手段１０、レーザ発光タイミング制御手段１１の各部から送られる信号が入力され、これらの信号の演算処理等を行い、この演算処理の結果（信号）を各部に送出し、各部にて駆動、処理を実行させ、各部の制御を行うものである。また、光ピックアップ４とレーザ発光タイミング手段１１は、光ディスクに所定数の書込開始タイミングでダミーデータを書込む書込み手段を構成する。
【００３４】
ここで、本実施の形態１における光ディスク装置の信号の流れについて説明する。
【００３５】
本実施の形態１における最適化処理時の記録信号の流れは、ＣＰＵ１２の記録指令に基づき、レーザ発光タイミング制御手段１１を介して光ピックアップ４を動作させ、光ディスク１に情報の記録を行う。また、本実施の形態１における最適化処理時の再生信号の流れは、光ディスク１に記録された情報を光ピックアップ４で読み取り、反射光受光手段５、ＲＦ信号生成手段６、イコライザ７、エラーレート測定手段９を介してＣＰＵ１２が情報の入手を行う。ＣＰＵ１２は情報の入手を行うと、ＣＰＵ１２に設けられているエラーレート比較手段１０で情報の比較を行い、その結果に基づいてイコライザ７の再生イコライザ設定値を決定して、イコライザ７に設定する。
【００３６】
次に、再生イコライザ設定値の最適化処理における発光パルスと記録マークの関係について説明する。
【００３７】
図２は、発光パルスと記録マークの関係を示す図である。図２（ａ）は光ディスクの記録面上に形成される記録マークを示し、図２（ｂ）は記録マークを形成するために光ピックアップから発せられる発光パルス群を示したものである。図２において、２０１は記録マーク、２０２は発光パルス群、２０３はトップパルス、２０４はパルス幅である。
【００３８】
光ピックアップ４は、ＣＰＵ１２の指令に基づき光ディスク１の所定数の領域にそれぞれ異なるダミーデータの書き込みである試し書きを行う。ここでの試し書きは、１つの記録マーク２０１を形成するための発光パルス群２０２のうち、発光パルス群２０２の先頭に位置するトップパルス２０３の発光タイミングを変更して、トップパルス２０３のパルス幅を変更することで行われる。
【００３９】
本実施の形態１においては、光ディスク１の所定数の領域を３つの領域として、それぞれの領域に対して、発光パルス群２０２の先頭に位置するトップパルス２０３の発光タイミングを初期値より遅くしたり、早くしたりすることで試し書きを行う。ここで、発光タイミングの初期値は、光ディスク１に予め記録されている情報で光ディスク１の種類毎に最適設定された値から得られるものである。
【００４０】
このように、トップパルス２０３の発光タイミングを初期値より遅くしたり、早くしたりすることで、トップパルス２０３のパルス幅２０４を変更したダミーデータの試し書きを行うことによって、意図的に記録状態の悪い領域を形成することができる。そのため、試し書きが行われた所定数の領域は、記録状態の良い領域や悪い領域が混在する領域となる。
【００４１】
なお、本実施の形態１においては、光ディスク１の所定数の領域を３つの領域としたが、これに限定されるものではない。所定数の領域を多くすれば、それに比例して再生イコライザ設定値の最適化処理における再生イコライザ設定値の精度を上げることができる。
【００４２】
次に、光ディスクの領域構成について、ＤＶＤを例にして説明する。
【００４３】
図３は、光ディスクの領域構成を示す断面図である。図３において、２１は中心穴、２２は非ユーザデータ記録領域、２２ａは試し書き領域、２２ｂはディスク情報管理領域、２３はユーザデータ領域である。
【００４４】
光ディスク１は、ディスク中心に設けられた中心穴２１から半径方向外周側に向かって試し書き領域２２ａ、ディスク情報管理領域２２ｂなどの非ユーザデータ記録領域２２、ユーザデータ領域２３の順に配置されている。試し書き領域２２ａ、ディスク情報管理領域２２ｂなどの非ユーザデータ記録領域２２には、光ディスク１面上へ記録するための最適記録パワーを求めるためのＯＰＣ（Ｏｐｔｉｍｕｍ  Ｐｏｗｅｒ  Ｃａｌｉｂｒａｔｉｏｎ）動作などに用いる試し書き領域やＴＯＣ（Ｔａｂｌｅ  Ｏｆ  Ｃｏｎｔｅｎｔｓ）などのディスク管理情報が書込まれている領域がある。また、ユーザデータ記録領域２３は、使用者の指示により利用される領域である。
【００４５】
本実施の形態１における試し書きを行う領域は試し書き領域２２ａであり、この試し書き領域２２ａに連続して、発光パルス群２０２の先頭に位置するトップパルス２０３の発光タイミングを初期値より遅くしたり、早くしたりすることでダミーデータの試し書きを行う。このように、トップパルス２０３の発光タイミングを初期値より遅くしたり、早くしたりすることで、試し書き領域２２ａに試し書きが行われる所定数の領域、つまり領域Ａ，領域Ｂ，領域Ｃが、光ディスク記録面上で連続して存在することによって、効率良くしかも容易に試し書きを行うことができる。
【００４６】
次に、再生イコライザ設定値を構成するカットオフ周波数とブースト量について、ＤＶＤに使用するＲＦ信号を用いて説明する。
【００４７】
図４は、再生イコライザ特性を示す図である。図４（ａ）は、信号振幅の周波数特性を示したものであり、横軸は周波数、縦軸は信号振幅である。図４（ｂ）は、信号振幅のブースト特性を示したものであり、横軸は周波数、縦軸は信号振幅である。ここで、信号振幅のブースト特性とは、信号振幅の増幅率特性を示す。
【００４８】
イコライザ７は、光ディスク１の記録面上に記録された記録マークを再生する際に、使用するＲＦ信号の周波数帯域以外の信号が、信号処理部８などに混入して悪影響を与えるのを防ぐ役割があり、カットオフ周波数を可変することで、その効果を調節することができる。
【００４９】
また、同時にイコライザ７は、ＲＦ信号の高周波成分を所定の増幅率で増幅して、ＲＦ信号の低周波成分は増幅しないことで、再生する周波数帯域で異なる信号振幅レベルを補正する役割があり、信号振幅の増幅量であるブースト量を可変することで、その効果を調節することができる。
【００５０】
本実施の形態１における再生イコライザ設定値の最適化処理では、カットオフ周波数の初期値を６ＭＨｚとして、ブースト量の初期値を５ｄＢとしたが、これに限定されるものではない。本実施の形態１におけるカットオフ周波数とブースト量をそれぞれ図４（ａ）、図４（ｂ）に示す。
【００５１】
このように、再生イコライザ設定値が、カットオフ周波数とブースト量で構成されることによって、再生イコライザ特性を容易に変更することができる。
【００５２】
次に、再生イコライザ設定値の最適化処理方法について、図を用いて説明する。
【００５３】
図５は、本発明の実施の形態１における再生イコライザ設定値の最適化処理方法を示すフローチャートである。
【００５４】
光ディスク装置は、光ディスク１が挿入される（Ｓ１）と、ＣＰＵ１２の指令に基づき、スピンドルモータ３を回転させ、光ピックアップ４のレーザを発光させ、フォーカスサーボ、トラッキングサーボをかけ（Ｓ２）、光ディスク１のディスク情報の取得を行う。
【００５５】
次に、ＣＰＵ１２は、光ピックアップ４を図３に示す光ディスク１の試し書き領域２２ａに移動させ、レーザ発光タイミング制御手段１１を介して試し書きを開始する。ここで行われる試し書きは、まず試し書き領域２２ａの領域Ａに所定の試し書きデータをレーザ発光タイミング初期値のまま記録する（Ｓ３）。次に、試し書き領域２２ａの領域Ｂに所定の試し書きデータをレーザ発光タイミング初期値から１ｎｓ遅らせて記録する（Ｓ４）。その後、試し書き領域２２ａの領域Ｃに所定の試し書きデータをレーザ発光タイミング初期値から１ｎｓ早めて記録する（Ｓ５）。
【００５６】
次に、ＣＰＵ１２は、再生イコライザ設定値を構成するカットオフ周波数とブースト量の初期設定値を取得し、イコライザ７に再生イコライザ設定値として設定する。本実施の形態１におけるカットオフ周波数の初期値は６ＭＨｚ、ブースト量の初期値は５ｄＢとしたが、これに限定されるものではない。その後、イコライザ７は、設定された設定値で試し書き領域２２ａの領域Ａ〜領域Ｃまでを再生し、エラーレート測定手段９でそれぞれのエラーレート値の測定を行う（Ｓ６）。そして、領域Ａ〜領域Ｃで測定されたそれぞれのエラーレート値は、エラーレート測定手段９からＣＰＵ１２に送られて、その総和が取られ、Ｓ６におけるエラーレート値の代表値としてＣＰＵ１２に設けられたメモリに保存される。
【００５７】
また、ＣＰＵ１２は、イコライザ７に設定されている再生イコライザ設定値をイコライザ初期設定値からカットオフ周波数を−７００ｋＨｚ、ブースト量を＋０．５ｄＢとして、試し書き領域２２ａの領域Ａ〜領域Ｃまでを再生し、エラーレート測定手段９でそれぞれのエラーレート値の測定を行う（Ｓ７）。このとき、Ｓ７におけるカットオフ周波数とブースト量の設定値は、それぞれ５．３ＭＨｚ、５．５ｄＢとなる。その後、領域Ａ〜領域Ｃで測定されたそれぞれのエラーレート値は、エラーレート測定手段９からＣＰＵ１２に送られて、その総和が取られ、Ｓ７におけるエラーレート値の代表値としてＣＰＵ１２に設けられたメモリに保存される。
【００５８】
また、ＣＰＵ１２は、イコライザ７に設定されている再生イコライザ設定値をイコライザ初期設定値からカットオフ周波数を＋７００ｋＨｚ、ブースト量を−０．５ｄＢとして、試し書き領域２２ａの領域Ａ〜領域Ｃまでを再生し、エラーレート測定手段９でそれぞれのエラーレート値の測定を行う（Ｓ８）。このとき、Ｓ８におけるカットオフ周波数とブースト量の設定値は、それぞれ６．７ＭＨｚ、４．５ｄＢとなる。領域Ａ〜領域Ｃで測定されたそれぞれのエラーレート値は、エラーレート測定手段９からＣＰＵ１２に送られて、その総和が取られ、Ｓ８におけるエラーレート値の代表値としてＣＰＵ１２に設けられたメモリに保存される。ここで、ＣＰＵ１２に設けられたメモリは、本実施の形態１における記憶手段である。
【００５９】
次に、ＣＰＵ１２は、Ｓ６〜Ｓ８で求められたエラーレート値の総和の中から、エラーレート比較手段１０でエラーレート値が最小となる再生イコライザ設定値を選択する（Ｓ９）。
【００６０】
さらに、ＣＰＵ１２は、Ｓ９で選択された再生イコライザ設定値から、カットオフ周波数を＋７００ｋＨｚ、ブースト量を＋０．５ｄＢとして、試し書き領域２２ａの領域Ａ〜領域Ｃまでを再生し、エラーレート測定手段９でそれぞれのエラーレート値の測定を行う（Ｓ１０）。このとき、例えばＳ９で選択された再生イコライザ設定値がＳ８で求められたエラーレート値であるとすると、Ｓ１０におけるカットオフ周波数とブースト量の設定値は、それぞれ７．４ＭＨｚ、５ｄＢとなる。領域Ａ〜領域Ｃで測定されたそれぞれのエラーレート値は、エラーレート測定手段９からＣＰＵ１２に送られて、その総和が取られ、Ｓ１０におけるエラーレート値の代表値としてＣＰＵ１２に設けられたメモリに保存される。
【００６１】
次に、ＣＰＵ１２は、Ｓ９で選択された再生イコライザ設定値から、カットオフ周波数を−７００ｋＨｚ、ブースト量を−０．５ｄＢとして、試し書き領域２２ａの領域Ａ〜領域Ｃまでを再生し、エラーレート測定手段９でそれぞれのエラーレート値の測定を行う（Ｓ１１）。このとき、例えばＳ９で選択された再生イコライザ設定値がＳ８で求められたエラーレート値であるとすると、Ｓ１１におけるカットオフ周波数とブースト量の設定値は、それぞれ６ＭＨｚ、４ｄＢとなる。領域Ａ〜領域Ｃで測定されたそれぞれのエラーレート値は、エラーレート測定手段９からＣＰＵ１２に送られて、その総和が取られ、Ｓ１１におけるエラーレート値の代表値としてＣＰＵ１２に設けられたメモリに保存される。
【００６２】
Ｓ６〜Ｓ１１の処理が全て終了すると、ＣＰＵ１２は、Ｓ６、Ｓ７、Ｓ８、Ｓ１０、Ｓ１１で求められたエラーレート値の代表値の中から、最もエラーレート値が小さい値となるカットオフ周波数もしくはブースト値をエラーレート比較手段１０で探索し、最終的な再生イコライザ設定値として、イコライザ７に設定する。
【００６３】
このように、エラーレート値が最小となるエラーレート値のグループが、各グループのエラーレート値の合計値に基づいて決定することによって、再生イコライザ設定値を容易に決定することができる。なお、本実施の形態１においては、エラーレート値が最小となるエラーレート値のグループは、各グループのエラーレート値の合計値に基づいて決定することにしたが、各グループのエラーレート値の合計値は各グループのエラーレート値の平均値でも同様の効果を得ることができる。
【００６４】
なお、複数の記録速度で記録可能な光ディスク装置においては、各々の記録速度で本発明の再生イコライザ設定値の最適化処理を行うことが好ましい。
【００６５】
次に、再生イコライザ設定値の最適化処理における再生イコライザ設定値とエラーレート測定値の関係について、図５に示すフローチャートに沿って説明する。
【００６６】
図６は、本発明の実施の形態１における再生イコライザ設定値とエラーレート測定値の関係を示す図である。図６において、図中左端の最適化処理ステップに示すＳ６，Ｓ７，Ｓ８，Ｓ１０，Ｓ１１は、図５に示す最適化処理方法のＳ６，Ｓ７，Ｓ８，Ｓ１０，Ｓ１１にそれぞれ対応する。
【００６７】
Ｓ６では、再生イコライザ設定値として、カットオフ周波数の初期値を６ＭＨｚ，ブースト量の初期値を５ｄＢに設定して、試し書き領域２２ａの領域Ａ〜領域Ｃまでを再生し、それぞれのエラーレート値の測定を行い、その測定結果をＡ１，Ｂ１，Ｃ１とすると、その総和（Ａ１＋Ｂ１＋Ｃ１）を代表値として保存する。
【００６８】
Ｓ７では、再生イコライザ設定値として、カットオフ周波数を初期値の−７００ｋＨｚである５．３ＭＨｚ，ブースト量を初期値の＋０．５ｄＢである５．５ｄＢに設定して、試し書き領域２２ａの領域Ａ〜領域Ｃまでを再生し、それぞれのエラーレート値の測定を行い、その測定結果をＡ２，Ｂ２，Ｃ２とすると、その総和（Ａ２＋Ｂ２＋Ｃ２）を代表値として保存する。
【００６９】
Ｓ８では、再生イコライザ設定値として、カットオフ周波数を初期値の＋７００ｋＨｚである６．７ＭＨｚ，ブースト量を初期値の−０．５ｄＢである４．５ｄＢに設定して、試し書き領域２２ａの領域Ａ〜領域Ｃまでを再生し、それぞれのエラーレート値の測定を行い、その測定結果をＡ３，Ｂ３，Ｃ３とすると、その総和（Ａ３＋Ｂ３＋Ｃ３）を代表値として保存する。
【００７０】
Ｓ１０では、例えばＳ９で選択された再生イコライザ設定値がＳ８で求められたエラーレート値であるとすると、Ｓ１０における再生イコライザ設定値として、カットオフ周波数をＳ９で選択されたカットオフ周波数の＋７００ｋＨｚである７．４ＭＨｚ，ブースト量をＳ９で選択されたブースト量の＋０．５ｄＢである５ｄＢに設定して、試し書き領域２２ａの領域Ａ〜領域Ｃまでを再生し、それぞれのエラーレート値の測定を行い、その測定結果をＡ４，Ｂ４，Ｃ４とすると、その総和（Ａ４＋Ｂ４＋Ｃ４）を代表値として保存する。
【００７１】
Ｓ１１では、例えばＳ９で選択された再生イコライザ設定値がＳ８で求められたエラーレート値であるとすると、Ｓ１１における再生イコライザ設定値として、カットオフ周波数をＳ９で選択されたカットオフ周波数の−７００ｋＨｚである６ＭＨｚ，ブースト量をＳ９で選択されたブースト量の−０．５ｄＢである４ｄＢに設定して、試し書き領域２２ａの領域Ａ〜領域Ｃまでを再生し、それぞれのエラーレート値の測定を行い、その測定結果をＡ５，Ｂ５，Ｃ５とすると、その総和（Ａ５＋Ｂ５＋Ｃ５）を代表値として保存する。
【００７２】
その後、Ｓ６，Ｓ７，Ｓ８，Ｓ１０，Ｓ１１で求められたエラーレート値の代表値（Ａ１＋Ｂ１＋Ｃ１），（Ａ２＋Ｂ２＋Ｃ２），（Ａ３＋Ｂ３＋Ｃ３），（Ａ４＋Ｂ４＋Ｃ４）（Ａ５＋Ｂ５＋Ｃ５）の中から、最もエラーレート値が小さい値となるカットオフ周波数もしくはブースト値を探索し、最終的な再生イコライザ設定値として、イコライザ７に設定する。
【００７３】
なお、本実施の形態１においては、カットオフ周波数の初期値を６ＭＨｚ、ブースト量の初期値を５ｄＢとして、それぞれのステップの具体例を説明したが、カットオフ周波数の初期値とブースト量の初期値はこれに限定されるものではない。
【００７４】
次に、再生イコライザ設定値の最適化処理におけるカットオフ周波数とブースト量の関係について、図５，図６に対応させて説明する。
【００７５】
図７は、本発明の実施の形態１におけるカットオフ周波数とブースト量の関係を示す図である。図７において、横軸はカットオフ周波数，縦軸はブースト量であり、３０６〜３１０は再生イコライザ設定値である。また、図中に示すＳ６，Ｓ７，Ｓ８，Ｓ１０，Ｓ１１は、図５，図６に示す再生イコライザ設定値のＳ６，Ｓ７，Ｓ８，Ｓ１０，Ｓ１１にそれぞれ対応する。
【００７６】
本発明の再生イコライザ設定値の最適化処理では、まず再生イコライザ設定値３０７と再生イコライザ設定値３０８を結ぶ直線方向でのカットオフ周波数とブースト量の最適点を見つける。その後、その再生イコライザ設定値３０７と再生イコライザ設定値３０８を結ぶ直線方向と交差する方向、つまり再生イコライザ設定値３０９と再生イコライザ設定値３１０を結ぶ直線方向での最適点を見つける。そのようにすることで、カットオフ周波数とブースト量の双方を考慮した再生イコライザ設定値の決定を行うことができる。
【００７７】
以上の内容により、光ディスクに所定数の書込開始タイミングで書込んだダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値として設定する光ディスク装置のイコライザ調整方法である。光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるエラーレート値を測定し、所定数の書込開始タイミング及び用いた一の再生イコライザ設定値に対応する複数のエラーレート値からなるエラーレート値のグループを複数種の再生イコライザ設定値の各々について得て、エラーレート値が最小となるエラーレート値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。
【００７８】
そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法および光ディスク装置を実現することができる。
【００７９】
なお、本実施の形態１においては、再生イコライザ設定値の最適化処理における指標としてエラーレート値を用いて説明したが、エラーレート値をジッタ値に置き換えて再生イコライザ設定値の最適化処理を行っても、同様の効果を得ることができる。この場合、図１に示すエラーレート測定手段９，エラーレート比較手段１０は、それぞれ図８に示すジッタ測定手段５１，ジッタ比較手段５２に置き換わり、また、図５，図６に示すエラーレート値は図９，図１０に示すジッタ値に置き換わる。このような再生イコライザ設定値の最適化処理における指標がジッタ値の場合については、実施の形態２で説明する。
【００８０】
（実施の形態２）
以下、本発明の実施の形態２である再生イコライザ設定値の最適化処理における指標がジッタ値の場合について、図面を参照しながら説明する。なお、実施の形態２における再生イコライザ設定値の最適化処理における発光パルスと記録マークの関係と、光ディスクの領域構成と、再生イコライザ設定値を構成するカットオフ周波数とブースト量の説明は、実施の形態１における図２、図３、図４と同様であるため、これらの説明については省略する。
【００８１】
図８は、本発明の実施の形態２における光ディスク装置のブロック図である。図１において、１は光ディスク、２はピックアップモジュール、３はスピンドルモータ、４は光ピックアップ、５は反射光受光手段、６はＲＦ信号生成手段、７はイコライザ、８は信号処理部、１１はレーザ発光タイミング制御手段、１２はＣＰＵ、５１はジッタ測定手段、５２はジッタ比較手段である。実施の形態１との相違点は、エラーレート測定手段９がジッタ測定手段５１に、エラーレート比較手段１０がジッタ比較手段５２に置き換わったものである。
【００８２】
以上のように構成された本発明の実施の形態２における光ディスク装置の動作について説明する。
【００８３】
ピックアップモジュール２は、光ディスク１を回転させるスピンドルモータ３と、レーザの発光パターンを利用して光ディスク１に情報の記録または再生の少なくとも一方を行う光ピックアップ４と、光ピックアップ４が搭載されたキャリッジを光ディスク１の半径方向に移動させるためのフィード部とによって構成されたものである。
【００８４】
光ピックアップ４の内部には、光ディスク１からの反射光を受光する反射光受光手段５が設けられ、その反射光受光手段５からの信号出力を基にＲＦ信号生成手段６でＲＦ信号が生成され、生成されたＲＦ信号はイコライザ７へ送られる。
【００８５】
イコライザ７は、光ディスク装置を設計する際に設定された固定値で、送られてきたＲＦ信号の周波数特性の調整を行う。ここで、用いられる再生イコライザの最適化処理結果は、ジッタ測定手段５１で測定されたジッタ値をジッタ測定手段で比較することにより求められる。その後、周波数特性が調整されたＲＦ信号は、イコライザ７から信号処理部へ送られる。
【００８６】
信号処理部８は、イコライザ７から送られてきたＲＦ信号などのアナログ信号をデジタル信号に変換するＡ／Ｄ変換器、Ａ／Ｄ変換器で変換されたデジタル信号を一時的に記憶するメモリ、メモリに記録されたデジタル信号あるいはＡ／Ｄ変換器から送られてきたデジタル信号を所定の方法で演算する演算回路、演算回路にて演算されたデジタル信号をアナログ信号に変換するＤ／Ａ変換器等によって構成され、パーソナルコンピュータなどのＨＯＳＴと通信を行う。
【００８７】
レーザ発光タイミング制御手段１１は、光ピックアップ４の発光タイミングを制御して
光ディスク１に情報の記録を行う。
【００８８】
ＣＰＵ１２は、本発明の制御部を構成し、イコライザ７、ジッタ測定手段５１、ジッタ比較手段５２、レーザ発光タイミング制御手段１１の各部から送られる信号が入力され、これらの信号の演算処理等を行い、この演算処理の結果（信号）を各部に送出し、各部にて駆動、処理を実行させ、各部の制御を行うものである。また、光ピックアップ４とレーザ発光タイミング手段１１は、光ディスクに所定数の書込開始タイミングでダミーデータを書込む書込み手段を構成する。
【００８９】
ここで、本発明における光ディスク装置の信号の流れについて説明する。
【００９０】
本実施の形態２における最適化処理時の記録信号の流れは、ＣＰＵ１２の記録指令に基づき、レーザ発光タイミング制御手段１１を介して光ピックアップ４を動作させ、光ディスク１に情報の記録を行う。また、本実施の形態２における最適化処理時の再生信号の流れは、光ディスク１に記録された情報を光ピックアップ４で読み取り、反射光受光手段５、ＲＦ信号生成手段６、イコライザ７、ジッタ測定手段５１を介してＣＰＵ１２が情報の入手を行う。ＣＰＵ１２は情報の入手を行うと、ＣＰＵ１２に設けられているジッタ比較手段５２で情報の比較を行い、その結果に基づいてイコライザ７の再生イコライザ設定値を決定して、イコライザ７に設定する。
【００９１】
次に、再生イコライザ設定値の最適化処理方法について、図を用いて説明する。
【００９２】
図９は、本発明の実施の形態２における再生イコライザ設定値の最適化処理方法を示すフローチャートである。
【００９３】
光ディスク装置は、光ディスク１が挿入される（Ｓ５１）と、ＣＰＵ１２の指令に基づき、スピンドルモータ３を回転させ、光ピックアップ４のレーザを発光させ、フォーカスサーボ、トラッキングサーボをかけ（Ｓ５２）、光ディスク１のディスク情報の取得を行う。
【００９４】
次に、ＣＰＵ１２は、光ピックアップ４を図３に示す光ディスク１の試し書き領域２２ａに移動させ、レーザ発光タイミング制御手段１１を介して試し書きを開始する。ここで行われる試し書きは、まず試し書き領域２２ａの領域Ａに所定の試し書きデータをレーザ発光タイミング初期値のまま記録する（Ｓ５３）。そして、試し書き領域２２ａの領域Ｂに所定の試し書きデータをレーザ発光タイミング初期値から１ｎｓ遅らせて記録する（Ｓ５４）。その後、試し書き領域２２ａの領域Ｃに所定の試し書きデータをレーザ発光タイミング初期値から１ｎｓ早めて記録する（Ｓ５５）。
【００９５】
次に、ＣＰＵ１２は、再生イコライザ設定値を構成するカットオフ周波数とブースト量の初期設定値を取得し、イコライザ７に再生イコライザ設定値として設定する。本実施の形態２におけるカットオフ周波数の初期値は６ＭＨｚ、ブースト量の初期値は５ｄＢであるが、これに限定されるものではない。その後、イコライザ７は、設定された設定値で試し書き領域２２ａの領域Ａ〜領域Ｃまでを再生し、ジッタ測定手段５１でそれぞれのジッタ値の測定を行う（Ｓ５６）。そして、領域Ａ〜領域Ｃで測定されたそれぞれのジッタ値は、ジッタ測定手段５１からＣＰＵ１２に送られて、その総和が取られ、Ｓ５６におけるジッタ値の代表値としてＣＰＵ１２に設けられたメモリに保存される。ここで、ＣＰＵ１２に設けられたメモリは、本実施の形態２における記憶手段である。
【００９６】
また、ＣＰＵ１２は、イコライザ７に設定されている再生イコライザ設定値をイコライザ初期設定値からカットオフ周波数を−７００ｋＨｚ、ブースト量を＋０．５ｄＢとして、試し書き領域２２ａの領域Ａ〜領域Ｃまでを再生し、ジッタ測定手段５１でそれぞれのジッタ値の測定を行う（Ｓ５７）。このとき、Ｓ５７におけるカットオフ周波数とブースト量の設定値は、それぞれ５．３ＭＨｚ、５．５ｄＢとなる。その後、領域Ａ〜領域Ｃで測定されたそれぞれのジッタ値は、ジッタ測定手段５１からＣＰＵ１２に送られて、その総和が取られ、Ｓ５７におけるジッタ値の代表値としてＣＰＵ１２に設けられたメモリに保存される。
【００９７】
また、ＣＰＵ１２は、イコライザ７に設定されている再生イコライザ設定値をイコライザ初期設定値からカットオフ周波数を＋７００ｋＨｚ、ブースト量を−０．５ｄＢとして、試し書き領域２２ａの領域Ａ〜領域Ｃまでを再生し、ジッタ測定手段５１でそれぞれのジッタ値の測定を行う（Ｓ５８）。このとき、Ｓ５８におけるカットオフ周波数とブースト量の設定値は、それぞれ６．７ＭＨｚ、４．５ｄＢとなる。領域Ａ〜領域Ｃで測定されたそれぞれのジッタ値は、ジッタ測定手段５１からＣＰＵ１２に送られて、その総和が取られ、Ｓ５８におけるジッタ値の代表値としてＣＰＵ１２に設けられたメモリに保存される。
【００９８】
次に、ＣＰＵ１２は、Ｓ５６〜Ｓ５８で求められたジッタ値の総和の中から、ジッタ比較手段５２でジッタ値が最小となる再生イコライザ設定値を選択する（Ｓ５９）。
【００９９】
さらに、ＣＰＵ１２は、Ｓ５９で選択された再生イコライザ設定値から、カットオフ周波数を＋７００ｋＨｚ、ブースト量を＋０．５ｄＢとして、試し書き領域２２ａの領域Ａ〜領域Ｃまでを再生し、ジッタ測定手段５１でそれぞれのジッタ値の測定を行う（Ｓ６０）。このとき、例えばＳ５９で選択された再生イコライザ設定値がＳ５８で求められたジッタ値であるとすると、Ｓ６０におけるカットオフ周波数とブースト量の設定値は、それぞれ７．４ＭＨｚ、５ｄＢとなる。領域Ａ〜領域Ｃで測定されたそれぞれのジッタ値は、ジッタ測定手段５１からＣＰＵ１２に送られて、その総和が取られ、Ｓ６０におけるジッタ値の代表値としてＣＰＵ１２に設けられたメモリに保存される。
【０１００】
次に、ＣＰＵ１２は、Ｓ５９で選択された再生イコライザ設定値から、カットオフ周波数を−７００ｋＨｚ、ブースト量を−０．５ｄＢとして、試し書き領域２２ａの領域Ａ〜領域Ｃまでを再生し、ジッタ測定手段５１でそれぞれのジッタ値の測定を行う（Ｓ１１）。このとき、例えばＳ５９で選択された再生イコライザ設定値がＳ５８で求められたジッタ値であるとすると、Ｓ６１におけるカットオフ周波数とブースト量の設定値は、それぞれ６ＭＨｚ、４ｄＢとなる。領域Ａ〜領域Ｃで測定されたそれぞれのジッタ値は、ジッタ測定手段５１からＣＰＵ１２に送られて、その総和が取られ、Ｓ６１におけるジッタ値の代表値としてＣＰＵ１２に設けられたメモリに保存される。
【０１０１】
Ｓ５６〜Ｓ６１の処理が全て終了すると、ＣＰＵ１２は、Ｓ５６、Ｓ５７、Ｓ５８、Ｓ６０、Ｓ６１で求められたジッタ値の代表値の中から、最もジッタ値が小さい値となるカットオフ周波数もしくはブースト値をジッタ比較手段５２で探索し、最終的な再生イコライザ設定値として、イコライザ７に設定する。
【０１０２】
このように、ジッタ値が最小となるジッタ値のグループが、各グループのジッタ値の合計値に基づいて決定することによって、再生イコライザ設定値を容易に決定することができる。なお、本実施の形態２においては、ジッタ値が最小となるジッタ値のグループは、各グループのジッタ値の合計値に基づいて決定することにしたが、各グループのジッタ値の合計値は各グループのジッタ値の平均値でも同様の効果を得ることができる。
【０１０３】
なお、複数の記録速度で記録可能な光ディスク装置においては、各々の記録速度で本発明の再生イコライザ設定値の最適化処理を行うことが好ましい。
【０１０４】
次に、再生イコライザ設定値の最適化処理における再生イコライザ設定値とジッタ測定値の関係について、図９に示すフローチャートに沿って説明する。
【０１０５】
図１０は、本発明の実施の形態２における再生イコライザ設定値とジッタ測定値の関係を示す図である。図６において、表中左端の最適化処理ステップに示すＳ５６，Ｓ５７，Ｓ５８，Ｓ６０，Ｓ６１は、図５に示す最適化処理方法のＳ５６，Ｓ５７，Ｓ５８，Ｓ６０，Ｓ６１にそれぞれ対応する。
【０１０６】
Ｓ５６では、再生イコライザ設定値として、カットオフ周波数の初期値を６ＭＨｚ，ブースト量の初期値を５ｄＢに設定して、試し書き領域２２ａの領域Ａ〜領域Ｃまでを再生し、それぞれのジッタ値の測定を行い、その測定結果をＡ１１，Ｂ１１，Ｃ１１とすると、その総和（Ａ１１＋Ｂ１１＋Ｃ１１）を代表値として保存する。
【０１０７】
Ｓ５７では、再生イコライザ設定値として、カットオフ周波数を初期値の−７００ｋＨｚである５．３ＭＨｚ，ブースト量を初期値の＋０．５ｄＢである５．５ｄＢに設定して、試し書き領域２２ａの領域Ａ〜領域Ｃまでを再生し、それぞれのジッタ値の測定を行い、その測定結果をＡ１２，Ｂ１２，Ｃ１２とすると、その総和（Ａ１２＋Ｂ１２＋Ｃ１２）を代表値として保存する。
【０１０８】
Ｓ５８では、再生イコライザ設定値として、カットオフ周波数を初期値の＋７００ｋＨｚである６．７ＭＨｚ，ブースト量を初期値の−０．５ｄＢである４．５ｄＢに設定して、試し書き領域２２ａの領域Ａ〜領域Ｃまでを再生し、それぞれのジッタ値の測定を行い、その測定結果をＡ１３，Ｂ１３，Ｃ１３とすると、その総和（Ａ１３＋Ｂ１３＋Ｃ１３）を代表値として保存する。
【０１０９】
Ｓ６０では、例えばＳ５９で選択された再生イコライザ設定値がＳ５８で求められたジッタ値であるとすると、Ｓ６０における再生イコライザ設定値として、カットオフ周波数をＳ５９で選択されたカットオフ周波数の＋７００ｋＨｚである７．４ＭＨｚ，ブースト量をＳ５９で選択されたブースト量の＋０．５ｄＢである５ｄＢに設定して、試し書き領域２２ａの領域Ａ〜領域Ｃまでを再生し、それぞれのジッタ値の測定を行い、その測定結果をＡ１４，Ｂ１４，Ｃ１４とすると、その総和（Ａ１４＋Ｂ１４＋Ｃ１４）を代表値として保存する。
【０１１０】
Ｓ６１では、例えばＳ５９で選択された再生イコライザ設定値がＳ５８で求められたジッタ値であるとすると、Ｓ６１における再生イコライザ設定値として、カットオフ周波数をＳ５９で選択されたカットオフ周波数の−７００ｋＨｚである６ＭＨｚ，ブースト量をＳ５９で選択されたブースト量の−０．５ｄＢである４ｄＢに設定して、試し書き領域２２ａの領域Ａ〜領域Ｃまでを再生し、それぞれのジッタ値の測定を行い、その測定結果をＡ１５，Ｂ１５，Ｃ１５とすると、その総和（Ａ１５＋Ｂ１５＋Ｃ１５）を代表値として保存する。
【０１１１】
その後、Ｓ５６，Ｓ５７，Ｓ５８，Ｓ６０，Ｓ６１で求められたジッタ値の代表値（Ａ１１＋Ｂ１１＋Ｃ１１），（Ａ１２＋Ｂ１２＋Ｃ１２），（Ａ１３＋Ｂ１３＋Ｃ１３），（Ａ１４＋Ｂ１４＋Ｃ１４）（Ａ１５＋Ｂ１５＋Ｃ１５）の中から、最もジッタ値が小さい値となるカットオフ周波数もしくはブースト値を探索し、最終的な再生イコライザ設定値として、イコライザ７に設定する。
【０１１２】
なお、本実施の形態２においては、カットオフ周波数の初期値を６ＭＨｚ、ブースト量の初期値を５ｄＢとして、それぞれのステップの具体例を説明したが、カットオフ周波数の初期値とブースト量の初期値はこれに限定されるものではない。
【０１１３】
次に、再生イコライザ設定値の最適化処理におけるカットオフ周波数とブースト量の関係について、図９，図１０に対応させて説明する。
【０１１４】
図１１は、本発明の実施の形態２におけるカットオフ周波数とブースト量の関係を示す図である。図１１において、横軸はカットオフ周波数，縦軸はブースト量であり、４０６〜４１０は再生イコライザ設定値である。また、図中に示すＳ５６，Ｓ５７，Ｓ５８，Ｓ６０，Ｓ６１は、図９，図１０に示す再生イコライザ値のＳ５６，Ｓ５７，Ｓ５８，Ｓ６０，Ｓ６１にそれぞれ対応する。
【０１１５】
本発明の再生イコライザ設定値の最適化処理では、まず再生イコライザ設定値４０７と再生イコライザ設定値４０８を結ぶ直線方向でのカットオフ周波数とブースト量の最適点を見つける。その後、その再生イコライザ設定値４０７と再生イコライザ設定値４０８を結ぶ直線方向と交差する方向、つまり再生イコライザ設定値４０９と再生イコライザ設定値４１０を結ぶ直線方向での最適点を見つける。そのようにすることで、カットオフ周波数とブースト量の双方を考慮した再生イコライザ設定値の決定を行うことができる。
【０１１６】
以上の内容により、光ディスクに所定数の書込開始タイミングで書込んだダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値として設定する光ディスク装置のイコライザ調整方法である。光ディスクに所定数の書込開始タイミングで書込んだダミーデータを用いることによって、記録マークを形成するレーザ発光のタイミングをずらし、意図的に記録状態の悪い領域を形成することができる。そして、そのダミーデータの各々について複数種の再生イコライザ設定値の中の一つを用いて再生し、その再生したダミーデータの各々に含まれるジッタ値を測定し、所定数の書込開始タイミング及び用いた一の再生イコライザ設定値に対応する複数のジッタ値からなるジッタ値のグループを複数種の再生イコライザ設定値の各々について得て、ジッタ値が最小となるジッタ値のグループを構成する再生イコライザ設定値を複数種の再生イコライザ設定値の中から選択し、光ディスクからのデータ再生に用いる再生イコライザ設定値とすることによって、記録状態の良い領域や悪い領域が混在する光ディスクを再生する場合に、再生イコライザ設定値が最適な設定値からずれて、光ディスク装置の再生能力が低下して再生できない、もしくは再生のリトライ動作を繰り返すために再生速度が遅延するなどの再生エラーの発生頻度を低減することができる。
【０１１７】
そのため、記録状態の良い領域や悪い領域が混在するような光ディスクであっても、再生エラーの発生頻度を低減することが可能な再生イコライザ値を設定することができるため、再生エラーが発生しにくい光ディスク装置のイコライザ調整方法および光ディスク装置を実現することができる。
【０１１８】
また、（実施の形態１）と（実施の形態２）に記載した構成を組み合わせて同時に満たす構成とすることで、より最適である再生イコライザ設定値の決定を行うことができる。
【産業上の利用可能性】
【０１１９】
本発明は、記録状態の良い領域や悪い領域が混在するような光ディスクであっても、再生エラーの発生頻度を低減することが可能な再生イコライザ値を設定することができるため、光ディスクに情報の記録または再生の少なくとも一方を行う光ディスク装置のイコライザ調整方法および光ディスク装置などに適応可能である。
【図面の簡単な説明】
【０１２０】
【図１】本発明の実施の形態１における光ディスク装置のブロック図
【図２】発光パルスと記録マークの関係を示す図
【図３】光ディスクの領域構成を示す断面図
【図４】再生イコライザ特性を示す図
【図５】本発明の実施の形態１における再生イコライザ設定値の最適化処理方法を示すフローチャート
【図６】本発明の実施の形態１における再生イコライザ設定値とエラーレート測定値の関係を示す図
【図７】本発明の実施の形態１におけるカットオフ周波数とブースト量の関係を示す図
【図８】本発明の実施の形態２における光ディスク装置のブロック図
【図９】本発明の実施の形態２における再生イコライザ設定値の最適化処理方法を示すフローチャート
【図１０】本発明の実施の形態２における再生イコライザ設定値とジッタ測定値の関係を示す図
【図１１】本発明の実施の形態２におけるカットオフ周波数とブースト量の関係を示す図
【図１２】従来の光ディスク装置のブロック図
【符号の説明】
【０１２１】
１    光ディスク
２    ピックアップモジュール
３    スピンドルモータ
４    光ピックアップ
５    反射光受光手段
６    ＲＦ信号生成手段
７    イコライザ
８    信号処理部
９    エラーレート測定手段
１０    エラーレート比較手段
１１    レーザ発光タイミング制御手段
１２    ＣＰＵ
２１    中心孔
２２    非ユーザデータ記録領域
２２ａ    試し書き領域
２２ｂ    ディスク情報管理領域
２３    ユーザデータ領域
５１    ジッタ測定手段
５２    ジッタ比較手段
２０１    記録マーク
２０２    発光パルス群
２０３    トップパルス
２０４    パルス幅
３０６、３０７、３０８、３０９、３１０    再生イコライザ設定値
４０６、４０７、４０８、４０９、４１０    再生イコライザ設定値
【図１】
2007207338.tif 000003
【図２】
2007207338.tif 000004
【図３】
2007207338.tif 000005
【図４】
2007207338.tif 000006
【図５】
2007207338.tif 000007
【図６】
2007207338.tif 000008
【図７】
2007207338.tif 000009
【図８】
2007207338.tif 000010
【図９】
2007207338.tif 000011
【図１０】
2007207338.tif 000012
【図１１】
2007207338.tif 000013
【図１２】
2007207338.tif 000014